(57)【要約】【課題】印刷装置の給紙機構において、印刷用紙を搬送経路に送出する際に生じる印刷用紙の節の発生を防止し、印刷用紙の弛みによる搬送騒音を防止する。【解決手段】  給紙に係る印刷用紙が複数枚積層されて収納されるサイド給紙台１２０と、搬送経路上に配置され、給紙に係る印刷用紙を保持し、ヘッドユニット１１０に対する印刷用紙の送出タイミングを調整するレジスト駆動部２４０と、サイド給紙台１２０において、印刷用紙の用紙幅よりも幅の小さいローラーであって、積層された印刷用紙のうち、最上位の印刷用紙をレジスト駆動部２４０に対して送出するピックアップローラー２２０ｂと、ピックアップローラー２２０ｂとレジスト駆動部２４０との間の給紙経路ＦＲにおいて、給紙に係る印刷用紙が弛んだ際、印刷用紙の弛み部分に当接される規制部材２２１とを有する。【選択図】  図２
2010089912.tif 000002
【特許請求の範囲】
【請求項１】
搬送経路上を搬送される印刷用紙に、画像形成部により画像を形成する印刷装置の給紙機構であって、
給紙に係る印刷用紙が複数枚積層されて収納される給紙トレイと、
前記搬送経路の前記画像形成部上流に配置され、前記給紙に係る印刷用紙を保持し、前記画像形成部に対する印刷用紙の送出タイミングを調整するレジストローラーと、
前記給紙トレイにおいて、前記印刷用紙の用紙幅よりも幅の小さいローラーであって、前記積層された印刷用紙のうち、最上位の印刷用紙を前記レジストローラーに対して送出するピックアップローラーと、
前記ピックアップローラーと前記レジストローラーとの間の給紙経路において、前記給紙に係る印刷用紙が弛んだ際、該印刷用紙の弛み部分に当接される規制部材と
を有することを特徴とする印刷装置の給紙機構。
【請求項２】
前記規制部材は、前記給紙経路において、前記ピックアップローラー外縁の形状に沿った断面形状を有することを特徴とする請求項１に記載の印刷装置の給紙機構。
【請求項３】
前記規制部材は、前記ピックアップローラーの上方を覆い、該ピックアップローラーの回転軸を中心とする円弧状の断面を有することを特徴とする請求項１に記載の印刷装置の給紙機構。
【請求項４】
前記規制部材の、用紙搬送方向と直交する方向の幅は、前記ピックアップローラーの、前記用紙搬送方向と直交する方向の幅よりも大きい
ことを特徴とする請求項１に記載の印刷装置の給紙機構。
【発明の詳細な説明】
【技術分野】
【０００１】
本発明は、搬送経路上を搬送される印刷用紙に、画像形成部により画像を形成する印刷装置の給紙機構に関する。
【背景技術】
【０００２】
従来、印刷装置において、搬送経路を経由して画像形成部において印刷する場合、印刷用紙の曲がりを修正し、印刷用紙を画像形成部内にスムーズに進入できるように、レジスト部のガイド部材に印刷用紙の先端を突き当て、印刷用紙が押し込まれ、弛みができるようにしている。具体的には、用紙整合手段を構成するレジストローラーに印刷用紙の先端を突き当てて搬送を止めた後も所定量だけ印刷用紙を送り込み、レジスト部の搬送方向上流側に設けた弛み吸収空間内で印刷用紙を弛ませつつ印刷用紙の搬送方向先側の縁全体をレジスト部のニップ部分に対して揃えることで、用紙の曲がりを修正していた。
【０００３】
ところが、この方法では、後に進入してきた印刷用紙については、先に進入していた印刷用紙の影響を受けやすく、印刷用紙が正しく整合することができない問題があった。
【０００４】
これに応えるための技術として、弛み押さえ部材を設けることで、先に進入してきた印刷用紙と後から進入してきた印刷用紙と弛み吸収空間に相違を持たせることで、後に進入してきた印刷用紙の先端が正しく用紙整合手段に進入するようにガイドするものがある。（文献１参照）
【特許文献１】特開２００４−０７５２７５号公報
【発明の開示】
【発明が解決しようとする課題】
【０００５】
しかしながら、従来技術や上記特許文献１の技術については、印刷用紙に弛みを持たせることで、印刷用紙の整合を図るものであるため、弛みを持った印刷用紙がレジスト部のローラーにニップされた状態では、印刷用紙の中央部に節が生じてしまう。この節が生じた印刷用紙がレジスト部より画像形成部へ搬送されるとその節を解消する際に大きな解消音が生じてしまい、印刷するたびに騒音となっている問題がある。
【０００６】
そこで、本発明は上記状況を解決するべく、印刷時において生じる印刷用紙の節の発生を防止し、印刷用紙の弛みによる搬送騒音を防止する用紙搬送機構を持つ印刷装置の給紙機構を提供することである。
【課題を解決するための手段】
【０００７】
上記課題を解決するために、本発明は、搬送経路上を搬送される印刷用紙に、画像形成部により画像を形成する印刷装置の給紙機構であって、給紙に係る印刷用紙が複数枚積層されて収納される給紙トレイと、搬送経路の画像形成部上流に配置され、給紙に係る印刷用紙を保持し、画像形成部に対する印刷用紙の送出タイミングを調整するレジストローラーと、給紙トレイにおいて、印刷用紙の用紙幅よりも幅の小さいローラーであって、積層された印刷用紙のうち、最上位の印刷用紙をレジストローラーに対して送出するピックアップローラーと、ピックアップローラーとレジストローラーとの間の給紙経路において、給紙に係る印刷用紙が弛んだ際、印刷用紙の弛み部分に当接される規制部材とを有する。
【０００８】
このような発明によれば、ピックアップローラーにより送出される際、印刷用紙の弛みに規制部材を当接させることによって、ピックアップローラーに巻き取られ、保持される部分に応力が集中するのを抑制して、印刷用紙に節が発生するのを防止し、解消音を少なくすることが可能となる。
【０００９】
上記発明において、規制部材は、ピックアップローラー外縁の形状に沿った断面形状を有することが好ましい。この場合には、規制部材は、ピックアップローラー外縁の形状に沿った断面形状を有するため、規制部材をピックアップローラーに近接させて配置することができ、省スペース化を図ることができるとともに、弛みがピックアップローラーに接触するのを防止できる。
【００１０】
上記発明において、規制部材は、ピックアップローラーの上方を覆い、ピックアップローラーの回転軸を中心とする円弧状の断面を有することが好ましい。この場合には、規制部材は、ピックアップローラーの上方外縁を覆うように配置されるので、節が発生する箇所に適切に臨ませることができるとともに、ピックアップローラーに近接させて配置することができ、ピックアップローラーから送出された直後の印刷用紙の浮き上がりを適切に防止できるとともに、省スペース化を図ることができる。
【００１１】
上記発明において、規制部材の、用紙搬送方向と直交する方向の幅は、ピックアップローラーの、用紙搬送方向と直交する方向の幅よりも大きいことが好ましい。この場合には、ピックアップローラーに把持された印刷用紙において、ピックアップローラー近辺に応力が集中する際、ピックアップローラーの幅よりも広い範囲を規制部材で押さえつけることができ、ピックアップローラー近辺における節の発生をより確実に抑制することができる。
【発明の効果】
【００１２】
本発明によれば、印刷装置の給紙機構において、ピックアップローラーにより送出される際、印刷用紙の弛みに規制部材を当接させることによって、印刷用紙を搬送経路に送出する際に生じる印刷用紙の節の発生を防止し、印刷用紙の弛みによる搬送騒音を防止することができる。
【発明を実施するための最良の形態】
【００１３】
（印刷装置の全体構成）
本発明の実施形態について図面を参照して説明する。図１（ａ）は、本実施形態に係る印刷装置１００の印刷用紙搬送経路の概要を示す図である。本実施形態では、印刷装置１００は、多数のノズルが形成されたインクヘッドを複数備え、それぞれのインクヘッドから黒又はカラーインクを吐出してライン単位で印刷を行い、搬送ベルト上の記録用紙上に複数の画像を互いに重なり合うように形成するインクジェット方式のラインカラープリンタを例に説明する。
【００１４】
図１（ａ）に示すように印刷装置１００は、環状の搬送経路上を搬送される用紙表面に画像を形成する装置であり、搬送経路は、用紙を供給する給紙系搬送路ＦＲと、この給紙系搬送路ＦＲからヘッドユニット１１０を経て排紙経路ＤＲへ至る通常経路ＣＲと、通常経路ＣＲに分岐接続された反転経路ＳＲとから概略構成されてる。
【００１５】
給紙系搬送路ＦＲにおいて、印刷用紙の供給を行う給紙機構としては、筐体側面の外部に配設されたサイド給紙台１２０と、筐体内部に設けられた複数の給紙トレイ（１３０ａ、１３０ｂ、１３０ｃ、１３０ｄ）とが備えられている。また、印刷済みの印刷用紙を排出する排紙機構として排紙口１４０を備えている。
【００１６】
サイド給紙台１２０、給紙トレイ１３０のいずれかの給紙機構から給紙された印刷用紙は、ローラー等の駆動機構によって筐体内の給紙系搬送路ＦＲに沿って搬送され、印刷用紙の先頭部分の基準位置であるレジスト部Ｒに導かれる。レジスト部Ｒのさらに搬送方向側には、複数の印字ヘッドを備えたヘッドユニット１１０が設けられている。印刷用紙は、ヘッドユニット１１０の対向面に設けられた搬送ベルト１６０によって印刷条件により定められる速度で搬送されながら、各印字ヘッドから吐出されたインクによりライン単位で画像形成される。
【００１７】
印刷済みの印刷用紙は、さらに、ローラー等の駆動機構によって通常経路ＣＲ上を搬送される。印刷用紙の片側の面のみに印刷を行う片面印刷の場合は、そのまま排紙経路ＤＲを経て、排紙口１４０に導かれて排紙され、排紙口１４０の受台として設けられた排紙台１５０に印刷面を下にして積載されていく。排紙台１５０は、筐体から突出したトレイ形状をしており、ある程度の厚みを有している。排紙台１５０は傾斜しており、傾斜の下位置に形成された壁により、排紙口１４０から排紙された印刷用紙が自然に整えられて重なっていくようになっている。
【００１８】
一方、印刷用紙の両面に印刷を行う両面印刷の場合は、表面（最初に印刷される面を「表面」、次に印刷される面を「裏面」とする）印刷終了時には排紙経路ＤＲ側に導かれずに、さらに筐体内を搬送され、反転経路ＳＲに送出される。このため、印刷装置１００は、裏面印刷用に搬送路を切り替えるための切替機構１７０が設けられており、切替機構１７０によって排出経路へ送出されなかった印刷用紙は、反転経路ＳＲに引き込まれる。
【００１９】
この反転経路ＳＲでは、通常経路ＣＲから用紙が受け渡され、用紙を往復させてることにより用紙の表裏を反転させる、いわゆるスイッチバックを行う。そして、ローラー等の駆動機構によって、切替機構１７２を経由して通常経路ＣＲに戻され、レジスト部Ｒを経て再給紙されて、表面と同様の手順によって裏面の印刷が行われる。その後、裏面の印刷が行われ、両面に画像が形成された印刷用紙は、排紙経路ＤＲを通じて排紙口１４０に導かれて排紙され、排紙口１４０の受台として設けられた排紙台１５０に積載されていく。
【００２０】
なお、本実施形態では、両面印刷時におけるスイッチバックを、排紙台１５０内に設けられた空間を利用して行うようにしている。排紙台１５０内に設けられた空間は、スイッチバック時に印刷用紙が外部から取り出せないように覆われた構成となっている。これにより、利用者が誤って反転動作中の印刷用紙を引き抜いてしまうことを防ぐことができる。また、排紙台１５０は、本来印刷装置１００に備えられているものであり、排紙台１５０内の空間を利用してスイッチバックを行うことにより、印刷装置１００内に、別途スイッチバック用の空間を設ける必要がなくなる。したがって、筐体のサイズが増大してしまうことを防ぐことができる。さらに、排紙経路と反転経路とを共用しないため、スイッチバック処理と他の用紙の排紙とを並行して行うことができる。
【００２１】
印刷装置１００では、給紙された印刷用紙の先頭部分の基準位置となるレジスト部Ｒには、両面印刷時に片面印刷済みの印刷用紙も再給紙されてくる。このため、レジスト部Ｒの直前部分には、新規に給紙される印刷用紙の搬送経路と、裏面印刷の用紙が循環して搬送されてくる再給紙経路とが合流する合流地点が形成される。そして、レジスト部Ｒは、給紙系搬送路ＦＲと通常経路ＣＲとの合流点近傍において、用紙の送り出しを行う。
【００２２】
なお、本実施形態では、上記合流地点を基準に、給紙機構側の経路を給紙系搬送路ＦＲとし、それ以外の経路を搬送経路とする。この搬送経路は環状をなし、上述したように通常経路ＣＲと反転経路ＳＲとが含まれる。図１（ｂ）は、給紙系搬送路ＦＲと通常経路ＣＲと反転経路ＳＲとを模式的に示した図である。なお、同図では、駆動部を構成するローラーの個数は適宜省略している。
【００２３】
給紙系搬送路ＦＲには、サイド給紙台１２０からの給紙を行うためのサイド給紙駆動部２２０、給紙トレイ１３０（１３０ａ、１３０ｂ、１３０ｃ、１３０ｄ）からの給紙を行うためのトレイ１駆動部２３０ａ、トレイ２駆動部２３０ｂ…が備えられている。これらによって、レジスト部Ｒに用紙を送り出す給紙手段が構成されている。
【００２４】
さらに、上述した給紙系搬送路ＦＲにおけるいずれの駆動部（トレイ１駆動部２３０ａ、トレイ２駆動部２３０ｂ…）も複数のローラー等で構成された駆動機構を備え、給紙台又は給紙トレイに積載された印刷用紙を１枚ずつ取り込んで、レジスト部Ｒ方向に搬送する。各駆動部は独立に駆動することが可能であり、給紙を行う給紙機構に応じて必要な駆動部の動作が行われる。
【００２５】
また、給紙系搬送路ＦＲには、搬送センサが複数個配置され、給紙系搬送路ＦＲにおける搬送ジャムを検出できるようになっている。すなわち、各搬送センサは、印刷用紙の有無又は印刷用紙の先端を検出するセンサであり、例えば、搬送経路上に複数の搬送センサを適当な間隔で並べ、給紙側に設けられた搬送センサが印刷用紙を検出してから所定時間内に搬送方向側の搬送センサが印刷用紙を検出しない場合に、搬送ジャムが発生したと判断することができる。
【００２６】
これら搬送センサのうち、用紙の送り出しを行うレジスト部Ｒ手前のレジストセンサは、搬送中の用紙サイズを計測し、例えば、用紙の通過速度及び通過時間に基づいて、通過中の用紙のサイズを測定したり、サイド給紙駆動部２２０、トレイ１駆動部２３０ａ等を駆動させてから所定時間内に搬送センサが印刷用紙を検出しない場合に、搬送ジャム（給紙エラー）が発生したと判断することができる。
【００２７】
通常経路ＣＲは、循環搬送路の一部を構成し、用紙を供給する給紙系搬送路ＦＲからヘッドユニット１１０を経て、排紙経路ＤＲへ至る経路であり、この通常経路ＣＲ上において用紙上面に画像が形成される。この通常経路ＣＲには、レジスト部Ｒに印刷用紙を導くレジスト駆動部２４０、ヘッドユニット１１０の対向面に設けられた搬送ベルト１６０を無端移動させるために駆動するベルト駆動部２５０、搬送方向側に順に配置される第１上面搬送駆動部２６０及び第２上面搬送駆動部２６５、排紙口１４０に印刷済みの用紙を導く上面排出駆動部２７０、裏面印刷用に印刷用紙を反転経路ＳＲに引き込む駆動手段が備えられている。いずれの駆動部も１又は複数のローラー等で構成された駆動機構を備え、搬送経路に沿って印刷用紙を１枚ずつ搬送する。各駆動部は独立に駆動することが可能であり、印刷用紙の搬送状況に応じて必要な駆動部の動作が行われる。
【００２８】
さらに、通常経路ＣＲにも搬送センサが複数個配置され、通常経路ＣＲにおける搬送ジャムを検出できるようになっている。さらに、レジスト部Ｒにおいても適切に印刷用紙が搬送されていることを確認できるようになっている。通常経路ＣＲでは、駆動部対応に搬送センサが設けられており、通常経路ＣＲのどの駆動部で搬送ジャムが発生したかを特定することができるようになっている。
【００２９】
反転経路ＳＲは、通常経路ＣＲに分岐接続され、通常経路ＣＲから用紙が受け渡され、用紙を往復（スイッチバック）させて通常経路ＣＲに戻すことにより用紙の表裏を反転させる反転経路及び搬送機構であり、この反転経路ＳＲには、用紙を反転させて合流地点に導く反転駆動部２８１が備えられている。そして、反転経路ＳＲでは、通常経路ＣＲと異なる速度で搬送が可能であり、通常経路ＣＲから用紙を引き継ぐ際に、加速・減速させたり、スイッチバックの際の停止時間を延長したり短縮したりすることができる。
【００３０】
そして、本実施形態においては、ある印刷用紙を給紙した後、その印刷用紙に印刷が施され排紙されるのを待って次の印刷用紙を給紙するのではなく、スケジューリングにより、先行する印刷用紙が排紙される前に、後続の印刷用紙を給紙して、所定の間隔で連続的に印刷することができるようになっている。したがって、両面印刷時の通常のスケジューリングでは、表面の用紙を給紙する際に、反転経路ＳＲから戻ってきた用紙が挿入される位置を確保するように、予めスペースを確保しておく。これにより、本装置では、表面の印刷と裏面の印刷とを並行させることができ、片面印刷時に対して１／２の生産性を確保することができる。
【００３１】
前記搬送ベルト１６０は、ヘッドユニット１１０に対向する面の前端及び後端に配設された駆動ローラー１６１及び従動ローラー１６２に掛け渡されており、図１（ａ）中時計回り方向に回転移動する。また、搬送ベルト１６０の上面には、そのベルト移動方向に沿って、４色のインクヘッドが並べて配置され、複数の画像を互いに重なり合うようにしてカラー画像を形成するヘッドユニット１１０が対向配置されている。
【００３２】
さらに、図１（ａ）に示すように、印刷装置１００には、演算処理部３３０が備えられている。この演算処理部３３０は、ＣＰＵやＤＳＰ（Ｄｉｇｉｔａｌ  Ｓｉｇｎａｌ  Ｐｒｏｃｅｓｓｏｒ）等のプロセッサ、メモリ、及びその他の電子回路等のハードウェア、或いはその機能を持ったプログラム等のソフトウェア、又はこれらの組み合わせなどによって構成された演算モジュールであり、プログラムを適宜読み込んで実行することにより種々の機能モジュールを仮想的に構築し、構築された各機能モジュールによって、画像データに関する処理や、各部の動作制御、ユーザー操作に対する種々の処理を行う。また、この演算処理部３３０には、操作パネル３４０が接続されており、この操作パネル３４０を通じて、ユーザーによる指示や設定操作を受け付けることができる。
【００３３】
（給紙機構）
本実施形態において、上述した給紙系搬送路ＦＲは、本発明に係る給紙機構を備えている。図２は、本実施形態に係る給紙機構の概略構成を示す側面図である。
【００３４】
同図に示すように、給紙機構は、上述した給紙系搬送路ＦＲ中に設けられ、レジスト部Ｒに印刷用紙を送出する機構であり、本実施形態では、装置本体下部に備えられた給紙トレイ１３０（１３０ａ、１３０ｂ、１３０ｃ、１３０ｄ）から新規に給紙を行うための給紙経路ＦＲ１と、サイド給紙台１２０から新規に給紙を行うための給紙経路ＦＲ２と、反転経路ＳＲから再給紙を行うための給紙経路Ｒ３が集合点２１４で集合され、この集合点２１４を経て、各給紙経路ＦＲ１〜ＦＲ３からレジスト部Ｒへ用紙が供給される。
【００３５】
レジスト部Ｒでは、レジスト駆動部２４０が、通常経路ＣＲにおけるヘッドユニット１１０の上流に配置されており、このレジスト駆動部２４０のレジストローラー２４０ａ，２４０ｂにより、給紙系搬送路ＦＲ側から通常経路ＣＲに進入してくる印刷用紙を一時的に保持し、ヘッドユニット１１０に対する印刷用紙の送出タイミングを調整しており、このレジストローラー２４０ａ，２４０ｂの上流側の給紙系搬送路ＦＲ内に合流点が配置され、各経路は、各合流点を経て集合点２１４に通じている。
【００３６】
集合点２１４には、上下一対のガイド部材２１０ａ，２１０ａによって、下流のレジスト部Ｒに向かって先細りとなるように挟まれた集合経路が形成され、集合点２１４に臨むように、各給紙経路ＦＲ１〜ＦＲ３が配置されている。これら給紙経路ＦＲ１〜ＦＲ３は、ガイド部材２１０ａ〜ｆによって画成されているとともに、集合点２１４の上流側には、ガイド部材２１０ａ〜ｆが上流に向かって拡開されることによって、給紙に係る印刷用紙を弛ませる拡幅部２１１，２１２及び２１３がそれぞれ形成されている。
【００３７】
詳述すると、給紙経路ＦＲ１は、ガイド部材２１０ｅと２１０ｆとによって、集合点２１４に向かって先細りとなるように挟まれて画成され、用紙が下方から上方へと送り出される経路であり、ガイド部材２１０ｅ及び２１０ｆが下方に向けて拡開することにより形成された拡幅部２１１を有している。この拡幅部２１１の下方には、給紙ローラー１８３が備えられ、この給紙ローラー１８３によって上方へ送り出された印刷用紙は、その先端がレジストローラー２４０ａ，２４０ｂに当接されることにより、拡幅部２１１で弛みを生じるようになっている。
【００３８】
給紙経路ＦＲ２は、ガイド部材２１０ｄと２１０ｃとによって、集合点２１４に向かって先細りとなるように挟まれて画成され、用紙が斜め上方に送り出される経路であり、ガイド部材２１０ｄ及び２１０ｃが搬送方向上流に向かって拡開することにより形成された拡幅部２１２を有している。この拡幅部２１２のさらに上流には、駆動機構２２０が備えられ、この駆動機構２２０によるピックアップにより、用紙が下流に向かって送り出され、その先端がレジストローラー２４０ａ，２４０ｂに当接されることにより、拡幅部２１２で弛みを生じるようになっている。
【００３９】
給紙経路ＦＲ３は、ガイド部材２１０ｂと２１０ｃとによって、集合点２１４に向かって先細りとなるように挟まれて画成され、用紙が斜め下方に送り出される経路であり、ガイド部材２１０ｂ及び２１０ｃが上流側斜め上方に向かって拡開することにより形成された拡幅部２１３を有している。この拡幅部２１３の上方には、反転経路ＳＲの駆動機構が備えられ、この駆動機構による再給紙により、用紙が下方に向かって送り出され、その先端がレジストローラー２４０ａ，２４０ｂに当接されることにより、拡幅部２１３で弛みを生じるようになっている。
【００４０】
そして、本実施形態では、集合点２１４の上流において、各給紙経路相互の合流点Ｃ１及びＣ２が一致しないように、給紙経路ＦＲ１〜ＦＲ３における用紙の搬送を規制するガイド部材２１５が備えられている。具体的に、このガイド部材２１５は、プラスチックやアクリルなど、軟質性の樹脂製シート状部材であり、給紙経路ＦＲ１とＦＲ２との合流点Ｃ１が最下流に位置するように、給紙経路ＦＲ１とＦＲ２とを画成しているガイド部材２１０ｄの下流側先端を延長させるように取付けられている。これにより、図３に示すように、ガイド部材２１５は、下流側の合流点Ｃ１と隣接する上流側の合流点Ｃ２との間において、給紙経路ＦＲ１を塞ぐように突出されることとなり、給紙経路ＦＲ１側から見て、上流側の合流点Ｃ２を覆う形となる。この結果、給紙経路ＦＲ１中の印刷用紙は、合流点Ｃ１に至る直前に、ガイド部材２１５に衝突されるとともに、ガイド部材２１５を押し上げながら給紙経路ＦＲ２側へ合流することとなり、この合流点Ｃ１が下流側へずらされて、給紙経路ＦＲ３側の合流点Ｃ２と一致しないようになる。
【００４１】
このようにガイド部材で合流点をずらすことにより、各給紙経路相互の合流点Ｃ１及びＣ２は、レジストローラー２４０ａの回転軸を中心とする複数の異なる半径Ｒ１及びＲ２の同心円上にそれぞれ位置することとなる。この結果、レジストローラー２４０ａから各合流点Ｃ１及びＣ２までの距離がそれぞれ異なるように確保され、レジストローラー２４０ａ，２４０ｂに至るまでの印刷用紙の動線が、レジストローラー２４０ａ，２４０ｂ直前の狭小な空間内（集合点２１４）で重ならないようになる。
【００４２】
なお、本実施形態では、ガイド部材２１０を給紙経路ＦＲ１及びＦＲ２の間に配置されるシート状部材としたが、以下のように変更することができる。図４（ａ）から（ｃ）は、ガイド部材の変更例を示す説明図である。
【００４３】
例えば、図４（ａ）に示すように、ガイド部材２１５を、各給紙経路ＦＲ１〜ＦＲ３を形成するガイド部材２１０ａ〜ｆの先端を延長させるように取付けられた、２つ以上の部材で構成する。このガイド部材は、板状の部材であり、例えば、薄い金属板や可撓性のある樹脂製とすることができる。
【００４４】
具体的には、上記ガイド部材として、給紙経路ＦＲ１及びＦＲ２の合流点Ｃ１の上流において、隣接する他の給紙経路ＦＲ３及びＦＲ２の合流点Ｃ２を覆い、且つ経路ＦＲ１中の印刷用紙が衝突されるように位置される導入部材２１５ｂと、経路中ＦＲ３において、印刷用紙の合流点Ｃ２側の面とは反対側の面において、印刷用紙の弛み部分に当接される当接部材２１５ａとを設ける。導入部材２１５ｂが、他の給紙経路の合流点Ｃ２を覆うことで、経路ＦＲ１内の用紙が合流点Ｃ２側に膨らむのを抑えることができるとともに、当接部材２１５ａが経路ＦＲ３中、印刷用紙の合流点側面とは反対側の面側において、印刷用紙の弛み部分に当接するため、集合点２１４で不要な弛みが生じるのを低減させることができる。また、導入部材２１５ｂに、経路ＦＲ１中の印刷用紙を衝突させることで、衝突後の印刷用紙の移動方向をレジスト駆動部２４０へと誘導することができる。
【００４５】
また、他のガイド部材の変更例としては、図４（ｂ）に示すように、給紙経路ＦＲ１及びＦＲ２の合流点Ｃ１の上流において、隣接する他の給紙経路ＦＲ３及びＦＲ２の合流点Ｃ２を覆い、且つ経路ＦＲ１中の印刷用紙が衝突されるように位置される導入部材２１５ｄと、経路中ＦＲ１において、印刷用紙の合流点Ｃ２側の面とは反対側の面において、印刷用紙の弛み部分に当接される当接部材２１５ｃとしてもよい。さらに、他のガイド部材の変更例としては、図４（ｃ）に示すように、給紙経路ＦＲ３及びＦＲ２の合流点Ｃ２の上流において、隣接する他の給紙経路ＦＲ１及びＦＲ２の合流点Ｃ１を覆い、且つ経路ＦＲ３中の印刷用紙が衝突されるように位置される導入部材２１５ｅと、経路中ＦＲ１において、印刷用紙の合流点Ｃ１側の面とは反対側の面において、印刷用紙の弛み部分に当接される当接部材２１５ｆとしてもよい。
【００４６】
一方、経路ＦＲ２において、給紙トレイ１２０には、印刷用紙が複数枚積層されて収納されており、この積層された印刷用紙を送出するためにサイド給紙駆動部２２０が設けられている。このサイド給紙駆動部２２０は、下流側のピックアップローラー２２０ｂと、上流側のピックアップローラー２２０ａとから構成され、図５（ａ）乃至（ｃ）に示すように、これらピックアップローラー２２０ａ及び２２０ｂは、回転軸２２２ａ及び２２２ｂに軸支され、ピックアップローラー２２０ｂは、回転軸２２２ａから回転力が伝達されて回転駆動される。これらピックアップローラー２２０ａ及び２２０ｂは、印刷用紙１０の用紙幅よりも幅の小さいローラーであって、積層された印刷用紙のうち、最上位の印刷用紙をレジスト部Ｒに対して送出する。
【００４７】
そして、このサイド給紙駆動部２２０とレジスト駆動部２４０との間の給紙経路ＦＲ２において、拡幅部２１２で印刷用紙が弛んだ際、印刷用紙の弛み部分に当接される規制部材２２１が備えられている。この規制部材２２１は、図５（ｃ）に示すように、規制部材２２１の、用紙搬送方向と直交する方向の幅Ｗ２は、ピックアップローラー２２０ｂの、用紙搬送方向と直交する方向の幅Ｗ１よりも大きく設計されている。さらに、規制部材２２１は、図６にも示すように、ピックアップローラー２２０ｂの上方を覆い、ピックアップローラー２２０ｂ外縁の形状に沿った断面形状を有しており、ピックアップローラー２２０ｂの回転軸２２２ｂを中心とする円弧状の断面を有し、給紙経路ＦＲ２の拡幅部２１２において、ピックアップローラー２２０ｂの回転方向（図６中矢印方向）と反対の方向に突出している。また、この円弧状の規制部材２２１の用紙側先端２２１ａは、円弧の曲率が増しており、円弧の内径方向（ピックアップローラー側）に湾曲され、印刷用紙の弛み部分に緩やかに接触されるようになっている。
【００４８】
そして、このように規制部材２２１が突出されることにより、印刷用紙の図７に示す箇所Ｐが押圧され、印刷用紙１０が垂直方向上方へ移動するのを規制している。また、規制部材２２１が、ピックアップローラー２２０ｂの回転方向と反対の方向に突出されていることから、レジストローラーへ搬送される際に、ピックアップローラー２２０ｂの回転力によって印刷用紙が弛ませられたとき、その回転方向に応力が集中する部分に規制部材２２１を突出させ、応力を分散させるとともに、印刷用紙が垂直方向上方へ移動するのを押圧している。
【００４９】
なお、本実施形態において規制部材２２１は、円弧状の断面を有し、ピックアップローラー２２０ｂを覆う形状としたが、印刷用紙の節が形成される部分に突出される形状であればよく、例えば節形成部分Ｐに突き立てられるロッド部材や、回転軸２２２ｂと平行となるように、用紙幅全体に係るように掛け渡された軸部材であってもよい。
【００５０】
（作用効果）
このような本実施形態によれば、各給紙経路ＦＲ１〜ＦＲ３の合流点Ｃ１及びＣ２が一致しないようにガイド部材２１５が配置されているため、合流点Ｃ１及びＣ２が重なることによって合流点Ｃ１及びＣ２付近に不要な弛みが発生する空間が形成されるのを回避する。また、複数の給紙経路ＦＲ１〜ＦＲ３のそれぞれに、印刷用紙の弛みを許容する拡幅部２１１〜２１３が設けられているため、各給紙経路ＦＲ１〜ＦＲ３の適正な位置で印刷用紙を弛ませることができ、印刷用紙が集中し、交差する集合点２１４付近で、印刷用紙１０が弛むのを抑えることができ、弛みが解消する際に発生する騒音を低減することができる。
【００５１】
また、本実施形態では、ピックアップローラー２２０ｂにより送出される際、印刷用紙１０の弛みに規制部材２２１を当接させることによって、ピックアップローラー２２０ｂに巻き取られ、保持される部分に応力が集中するのを抑制して、印刷用紙に節が発生するのを防止し、解消音が低減される。
【００５２】
詳述すると、図８（ａ）に示すように、規制部材２２１がない場合には、拡幅部２１２において、ピックアップローラー２２０ｂにより印刷用紙がニップ（把持）された状態では、印刷用紙の中央部に節が生じてしまう。本実施形態では、図８（ｂ）に示すように、拡幅部２１２において規制部材２２１をピックアップローラー２２０ｂの上方外縁を覆うように配置し、節が発生する部分Ｐに臨ませるため、節の発生を抑制しつつ拡幅部２１２において適切に用紙の弛みを発生させることができる。
【００５３】
上記規制部材２２１は、ピックアップローラー２２０ｂ外縁の形状に沿った断面形状を有し、ピックアップローラー２２０ｂの上方を覆い、ピックアップローラー２２０ｂの回転軸を中心とする円弧状の断面を有することから、規制部材２２１をピックアップローラー２２０ｂに近接させて配置することができ、ピックアップローラー２２０ｂから送出された直後の印刷用紙の浮き上がりを適切に防止できるとともに、省スペース化を図ることができ、また、弛みがピックアップローラー２２０ｂに接触するのを防止できる。
【００５４】
さらに、規制部材２２１の、用紙搬送方向と直交する方向の幅Ｗ２は、ピックアップローラー２２０ｂの、用紙搬送方向と直交する方向の幅Ｗ１よりも大きいため、印刷用紙がピックアップローラー２２０ｂに把持され、ピックアップローラー２２０ｂ近辺に応力が集中する際、ピックアップローラー２２０ｂの幅Ｗ２よりも広い範囲を規制部材２２１で押さえつけることができ、ピックアップローラー２２０ｂ近辺における節の発生をより確実に抑制することができる。
【００５５】
なお、本実施形態では、規制部材２２１が、ピックアップローラー２２０ｂの回転方向と反対の方向に突出されていることから、その回転方向に作用する応力の集中に対して、規制部材２２１を突き出させることができ、節が発生する部分Ｐを押圧するとともに、印刷用紙が垂直方向上方へ移動するのを抑止して、印刷用紙がピックアップローラー２２０ｂに保持される際に生じる節の発生を低減し、解消音を低減することができる。
【図面の簡単な説明】
【００５６】
【図１】（ａ）は、実施形態に係る印刷装置１００の印刷用紙搬送経路の概要を示す構成図であり、（ｂ）は、給紙系搬送路ＦＲと通常経路ＣＲと反転経路ＳＲとを模式的に示した図である。
【図２】実施形態に係る給紙機構の概略構成を示す側面図である。
【図３】実施形態に係る給紙機構の動作を示す説明図である。
【図４】給紙機構のガイド部材の変更例を示す側面図である。
【図５】実施形態に係るサイド給紙駆動部の構成を示す斜視図及び正面図である
【図６】実施形態に係る規制部材の構成を模式的に示す説明図である。
【図７】実施形態に係る印刷用紙に生じる節及び規制部材の当接箇所を示す説明図である。
【図８】実施形態に係る規制部材の有無による節の発生の相違を示す説明図である。
【符号の説明】
【００５７】
Ｃ１，Ｃ２…合流点
ＣＲ…通常経路
ＤＲ…排紙経路
ＦＲ…給紙系搬送路
Ｒ…レジスト部
ＳＲ…反転経路
１０…印刷用紙
１００…印刷装置
１１０…ヘッドユニット
１２０…サイド給紙台
１３０…給紙トレイ
１４０…排紙口
１５０…排紙台
１６０…搬送ベルト
１６１…駆動ローラー
１６２…従動ローラー
１７０，１７２…切替機構
２１０…ガイド部材
２１１〜２１３…拡幅部
２１４…集合点
２１５…ガイド部材
２２０…サイド給紙駆動部
２２０ａ，２２０ｂ…ピックアップローラー
２２１…規制部材
２２２ａ，２２２ｂ…回転軸
２３０…給紙ローラー
２３０ａ，２３０ｂ…トレイ駆動部
２４０…レジスト駆動部
２５０…ベルト駆動部
２６０…第１上面搬送駆動部
２６５…第２上面搬送駆動部
２７０…上面排出駆動部
２８１…反転駆動部
３３０…演算処理部
３４０…操作パネル
【図１】
2010089912.tif 000003
【図２】
2010089912.tif 000004
【図３】
2010089912.tif 000005
【図４】
2010089912.tif 000006
【図５】
2010089912.tif 000007
【図６】
2010089912.tif 000008
【図７】
2010089912.tif 000009
【図８】
2010089912.tif 000010